(57)【特許請求の範囲】
【請求項１】
車両の固定ルーフに設けた開口を閉鎖するサンルーフパネルに開閉動作を与えるべく、前記固定ルーフに固設されるガイドレールに沿って車体前後方向に移動可能な下部支持部材、並びに前記サンルーフパネルに固設される上部支持部材のいずれか一方に設けられたカム溝と、前記上下の支持部材の他方に車体幅方向に突設されたピンと、該ピンと前記カム溝との間に介装されたカラーとを有するサンルーフパネルの昇降装置であって、
前記カム溝に対する前記カラーの軸線方向の変位を規制して該カラーを所定の摺動位置に規定するべく、前記カム溝の内周面並びに前記カラーの外周面の断面形状が相互補完的な凹凸形状に形成されると共に、前記カラーに対して前記ピンが軸線方向変位可能に組み付けられるようにしたことを特徴とするサンルーフパネルの昇降装置。
【発明の詳細な説明】
【０００１】
【発明の属する技術分野】
本発明は、カム機構を備えたサンルーフパネルの昇降装置に関し、特にカム溝とピンとの間にカラーを介装したサンルーフパネルの昇降装置に関するものである。
【０００２】
【従来の技術】
車両の固定ルーフに設けた開口を閉鎖するサンルーフパネルに開閉動作を与えるため、サンルーフパネルを昇降可能でかつ前後動可能としたサンルーフ装置が既に実用化されている。
【０００３】
このようなサンルーフ装置においては、固定ルーフに固設されるガイドレールに沿って車体前後方向に摺動可能な下部支持部材と、サンルーフパネルに固設される上部支持部材との間に、リンク機構やカム機構を介装し、プッシュプルケーブルの押し引き動作による下部支持部材の前後動に連動してサンルーフパネルに昇降動作を行わせるようになっている。
【０００４】
そして上記のカム機構を採用する場合には、上下の支持部材の一方にカム溝を設けると共に、他方に車体幅方向に突出してカム溝に摺合するピンを設けることが一般的であるが、カム溝にピンを直接摺合させる構成では、カム溝やピンの製作並びに取付の精度を高めないと、サンルーフパネルの円滑な昇降動作が確保し得ないことから、摺動抵抗の小さな合成樹脂製のカラーをピンに外装し、このカラーを介してピンをカム溝に摺合させる構成が採用されることがある。
【０００５】
【発明が解決しようとする課題】
ところが、このようにカム溝とピンとの間にカラーを介装した構成でも、上下の支持部材の車体幅方向の精度が低いと、ピンの軸線方向のずれが生じるためにカラーの一部がガイド溝から抜け出し、これによってカム溝に沿ったカラーの摺動が円滑でなくなるため、がたや異音を十分に抑制することができない。特に、カム溝を型抜きで形成する場合にガイド溝の内周面に抜き勾配があると、カラーが軸線方向にずれることでカラーの外周面とカム溝の内周面との間に大きな隙間が生じることから、がたや異音が増大する。
【０００６】
本発明は、このような従来技術の問題点を解消するべく案出されたものであり、その主な目的は、ガイド溝側並びにピン側の支持部材の精度に影響されずにがた及び異音の発生を抑制することのできるサンルーフの昇降装置を提供することにある。
【０００７】
【課題を解決するための手段】
このような目的を果たすために、本発明においては、車両の固定ルーフ１に設けた開口２を閉鎖するサンルーフパネル３に開閉動作を与えるために、固定ルーフに固設されるガイドレール４に沿って車体前後方向に移動可能な下部支持部材（発明の実施の形態中のスライダ５）、並びにサンルーフパネルに固設される上部支持部材（発明の実施の形態中のステー８）のいずれか一方に設けられたカム溝７と、上下の支持部材の他方に車体幅方向に突設されたピン９と、このピンとカム溝との間に介装されたカラー１２とを有するサンルーフパネルの昇降装置において、カム溝に対するカラーの軸線方向の変位を規制してカラーを所定の摺動位置に規定するべく、カム溝の内周面並びにカラーの外周面の断面形状が相互補完的な凹凸形状に形成されると共に、カラーに対してピンが軸線方向に変位可能に組み付けられるものとした。
【０００８】
これによると、カム溝に対する所定の摺合位置からカラーがずれないため、カム溝に沿ったカラーの摺動が円滑でなくなる不具合を回避することができる。一方、車体幅方向の製作並びに取付上の誤差は、カラーとピンとの間の軸線方向のずれで調整されることになるが、このカラーとピンとの間のずれではがたや異音は生じ難い。このため、ガイド溝側並びにピン側の支持部材の精度に影響されることなくがたや異音の発生を抑制することが可能となる。
【０００９】
【発明の実施の形態】
以下に添付の図面を参照して本発明の構成を詳細に説明する。
【００１０】
図１は、本発明が適用されたサンルーフ装置の要部を示している。このサンルーフ装置は、固定ルーフ１の開口２を閉鎖するサンルーフパネル３を、固定ルーフ１の上方かつ後方（図１中の右方）へ移動させて開口２を解放させるようにしたアウタスライド式のものである。
【００１１】
開口２の車体幅方向（図１の紙面に直交する向き）の両側部には、車体前後方向に延在するガイドレール４が固定ルーフ１に固設された状態で一対設けられており、このガイドレール４には、スライダ５（下部支持部材）のガイドシュー６が摺合されている。スライダ５には、前上がりに傾斜したガイド溝７が形成されている。一方、サンルーフパネル３の下面側に設けられたステー（上部支持部材）８の下端には、車体幅方向にピン９が突設されており、このピン８がスライダ５のガイド溝７に係合されている。
【００１２】
スライダ５は、図示しないプッシュプルケーブルに連結されており、電動モータなどにて押し引き駆動されるようになっている。プッシュプルケーブルの引き込み動作により、図１中に想像線で示すようにスライダ５を後方に変位させると、ガイド溝７がピン９を押し上げてサンルーフパネル３が上昇する。さらにスライダ５を後方に引き込むと、ピン９がガイド溝７の終端部分に突き当たった状態でステー８を後方に牽引し、これによりサンルーフパネル３が後方に移動して開口２が開放される。これとは逆のプッシュプルケーブルの押し込み動作によりサンルーフパネル３が降下して開口２が閉鎖される。
【００１３】
スライダ５は、図２に示すように、ガイド溝７が貫設された周壁部１０と、ガイドシュー６が装着される脚部１１とをダイカスト成型により一体形成したものである。ガイド溝７の内周面は全周に渡って、奥行き方向（車体幅方向）の中心部が僅かに盛り上がった山形をなす断面形状に形成されている。
【００１４】
ピン９は、円柱状をなしており、円筒状内面を有するカラー１２の内部に緊密にかつ軸線方向に相対変位可能に嵌入されるようになっている。カラー１２は、スライダ５のガイド溝７に嵌合する筒状部１３と、ガイド溝７の周壁部１０の側面に当接するフランジ部１４とがポリアセタール（ＰＯＭ）等の合成樹脂材にて一体形成されたものである。筒状部１３並びにフランジ部１４は共に長円形をなす断面形状に形成されている。筒状部１３の外周面は、ガイド溝７の内周面に対応して軸線方向中心部が縮径した鼓状に形成されている。筒状部１３のフランジ部１４と相反する側の端部には、ガイド溝７への嵌入を容易にするテーパー１５が形成されている。
【００１５】
カラー１２をガイド溝７へ嵌入すると、図３に示すように、ガイド溝７の内周面と筒状部１３の外周面とが互いに補完的に係合し、ガイド溝７に対してカラー１２が軸線方向に変位不能となる。このため、ガイド溝７に沿ってカラー１２が摺動する際にカラー１２がずれる心配はなく、がたや異音を抑制することができる。そして、スライダ５とステー８とが互いに組み付けられた状態では、カラー１２のフランジ部１４の端面１４ａとステー８の側面８ａとの間に所定寸法の間隙が形成される。この間隙の幅は、ステー８側あるいはスライダ５側の製作並びに取付誤差により増減し、予想される製作誤差に応じて適宜な寸法に設定される。
【００１６】
なお、本実施形態においては、下部支持部材としてのスライダ５にカム溝７を設けると共に上部支持部材としてのステー８にピン９を設けたが、これとは逆の態様も可能である。また、スライダ５の製作時の型抜きの便宜からガイド溝７の内周面を山形断面形状に形成すると共にカラー１２の外周面を鼓形状としたが、本発明はこのような形態のものに限定されるものではなく、ガイド溝に沿ったカラーの摺動運動を拘束しない態様でカラーのカム溝に対する軸線方向の相対位置を規定するものであれば良い。これには、カム溝の内周面並びにカラーの外周面を、カラーの軸線を含む平面で切断した断面形状が相互補完的な凹凸状となるように形成すれば良いが、このようにカム溝の内周面とカラーの外周面とを密接させる態様の他にも種々の形態が考えられる。
【００１７】
【発明の効果】
このように本発明によれば、カム溝に対するカラーの軸線方向の変位が拘束されるためにカラーの摺動が円滑になり、他方、上下の支持部材間に生じる車体幅方向の製作並びに取付上の誤差が、カラーとピンとの間の軸線方向のずれで調整されることから、ガイド溝側並びにピン側の支持部材の車体幅方向の精度に影響されることなくがた及び異音の発生を抑制することが可能となる。
【図面の簡単な説明】
【図１】本発明によるサンルーフの昇降装置を示す断面図。
【図２】スライダ、カラー並びにピンを示す斜視図。
【図３】組付状態の断面図。
【符号の説明】
１  固定ルーフ
２  開口
３  サンルーフパネル
４  ガイドレール
５  スライダ
７  ガイド溝
８  ステー
９  ピン
１２  カラー
【図１】
0004099269.tif 000002
【図２】
0004099269.tif 000003
【図３】
0004099269.tif 000004